(57)【要約】      （修正有）【課題】収納物に異物が混入する虞が無く、低コストで、且つ容易に保存容器内の酸素を除去しうる保存容器を提供する。【解決手段】収納部１２と、上記収納部１２の内部において燃焼することにより内部の酸素を除去するための燃焼部１３とを備え、上記収納部１２には開口部１４が設けられ、上記燃焼部１３は、上記開口部１４を閉止しうる蓋部１５と、上記蓋部１５に取り付けられると共に、上記開口部１４を閉止した場合に、上記収納部１２の内部に配置され、蝋燭である燃焼部材１６を載置しうる台部１７とから形成されている。【選択図】図１
2010137885.tif 000002
【特許請求の範囲】
【請求項１】
収納部と、上記収納部の内部において燃焼することにより内部の酸素を除去するための燃焼部とを備えることを特徴とする保存容器。
【請求項２】
上記収納部には開口部が設けられ、
上記燃焼部は、上記開口部を閉止しうる蓋部と、上記蓋部に取り付けられると共に、上記開口部を閉止した場合に、上記収納部の内部に配置され、燃焼部材を載置しうる台部とから形成されていることを特徴とする請求項１記載の保存容器。
【請求項３】
上記開口部は、上記収納部の上面部に設けられ、上記台部は上記蓋部から垂下されて蓋部下方に配置されることを特徴とする請求項２記載の保存容器。
【請求項４】
上記蓋部は上記開口部に係合する係合部と、上記係合部の上方に延設された内部が中空の突出部とを備え、上記台部は上記突出部の上端内側面部に固定されていることを特徴とする請求項３記載の保存容器
【請求項５】
上記台部の幅寸法は上記開口部の径寸法よりも小さく形成されており、上記突出部の上端部内側面部に固定されたアーム部と、上記アーム部の下端に固定された台本体部とにより構成されていることを特徴とする請求項４記載の保存容器。
【請求項６】
上記蓋部の内方には、上記台部の周囲を被覆して、上記燃焼部材の落下を防止する落下防止部材が配設されていることを特徴とする請求項２〜４いずれか１項記載の保存容器。
【請求項７】
上記開口部は平面円形に形成されネジ部が設けられる一方、上記蓋部の係合部は上記ネジ部と螺合するネジ部を有すると共に上記突出部は円筒状に形成され、上記台部は短円筒状に形成されていることを特徴とする請求項４記載の保存容器
【請求項８】
上記落下防止部材は、略円筒形状に形成され、上記蓋部内において上下方向に沿って摺動可能に配設されていることを特徴とする請求項６記載の保存容器。
【請求項９】
上記収納部には、内部に連通する孔部が設けられ、
上記燃焼部は、上記孔部に一端部が着脱可能に接続された管部と、
上記管部の他端部が接続され、内部に燃焼部材を収納しうる燃焼部材保存容器と、
上記孔部を開閉可能に閉止しうるコック部材とから形成されていることを特徴とする請求項１記載の保存容器。
【請求項１０】
上記燃焼部材は蝋燭であることを特徴とする請求項２または６記載の保存容器。
【発明の詳細な説明】
【技術分野】
【０００１】
本発明は食品等を保存する保存容器であって、特に内部の酸素を除去することによって、酸化により品質が劣化する対象物を長期間保存しうる保存容器に関する。
【背景技術】
【０００２】
米等の穀物類、乾物等を所定の保存容器に密閉収納した場合、保存過程において、澱粉質等の糖分、油分等が保存容器内部の酸素と反応することによって酸化し、次第に品質が劣化する。
また、同時に虫類、カビ、細菌等の好気性生物の活動によっても上記品質の劣化が更に助長される。
【０００３】
上記の問題を解決するため、図４に示すように、従来の保存容器７０においては、脱酸素剤７１を保存対象の収納物７２と共に収納部７３内に収納し、蓋部７４を閉止して、上記脱酸素剤７１に上記収納部７３の内部の酸素を吸収させるようにしている。
上記脱酸素剤７１は微細な鉄粒子を主成分とし、上記鉄粒子が、酸素を透過しうる微細孔を有する小袋７５に封入されて形成されている。
上記鉄粒子が上記収納部７３の酸素と反応し酸化鉄となる過程において、上記収納部７３の酸素を吸収して除去し、上記収納物７２の品質が劣化することを防止する。
しかしながら、上記脱酸素剤７１を、直接収納物７２と共に収納部７３内に封入した場合、搬送等の過程において上記脱酸素剤７１を封入している小袋７５が破損する等により、上記脱酸素剤７１の内容物が収納物７２に混入し、収納物７２が汚染される虞があるという不具合を有していた。
また、上記脱酸素剤７１の廃棄時においては、分別廃棄が必要であるため、非常に煩わしく、また幼児等が誤食する危険性を有するという別途の不具合をも有していた。
【０００４】
また、脱酸素剤を用いずに、保存容器中の空気を真空ポンプ等で抜き取ることによって、物理的に保存容器中の酸素を除去する方法もあるが、設備費用が大きくなるという不具合を有していた。
【発明の開示】
【発明が解決しようとする課題】
【０００５】
本発明は、上記の課題を解決し、収納物に異物が混入する虞が無く、低コストで、且つ容易に保存容器内の酸素を除去しうる保存容器を提供することにある。  
【０００６】
上記課題を解決するために、請求項１に記載した発明にあっては、収収納部と、上記収納部の内部において燃焼することにより内部の酸素を除去するための燃焼部とを備えることを特徴とする。
【０００７】
従って、燃焼作用によって酸素が消費され、保存容器内の酸素が除去される。
【０００８】
また、請求項２に記載した発明にあっては、上記収納部には開口部が設けられ、上記燃焼部は、上記開口部を閉止しうる蓋部と、上記蓋部に取り付けられると共に、上記開口部を閉止した場合に、上記収納部の内部に配置され、燃焼部材を載置しうる台部とから形成されていることを特徴とする。
従って、燃焼部材が直接収納物に触れることなく、保存容器内部の酸素を除去することが可能となる。
【０００９】
また、請求項３に記載した発明にあっては、上記開口部は、上記収納部の上面部に設けられ、上記台部は上記蓋部から垂下されて蓋部下方に配置されることを特徴とする。
従って、上記蓋部によって上記開口部を閉止することによって、上記台部が上記収納部内の所定位置に配置される。
【００１０】
また、請求項４に記載した発明にあっては、上記蓋部は上記開口部に係合する係合部と、上記係合部の上方に延設された内部が中空の突出部とを備え、上記台部は上記突出部の上端内側面部に固定されていることを特徴とする
従って、燃焼部材の燃焼によって発生する熱は上記突出部を介して速やかに外部に放出され、収納部の内部の温度上昇を防止する。
【００１１】
また、請求項５に記載した発明にあっては、上記台部の幅寸法は上記開口部の径寸法よりも小さく形成されており、上記突出部の上端部内側面部に固定されたアーム部と、上記アーム部の下端に固定された台本体部とにより構成されていることを特徴とする。
従って、上記蓋部によって上記開口部を閉止した場合、上記台部は上記収納容器の内部において、上記収納部の上面部から上記アーム部の長さ寸法分垂下した位置において固定される。
【００１２】
また、請求項６に記載した発明にあっては、上記蓋部の内方には、上記台部の周囲を被覆して、上記燃焼部材の落下を防止する落下防止部材が配設されていることを特徴とする。
従って、保存容器が振動した場合でも、上記台部から上記燃焼部材が収納部の内部に落下することがない。
【００１３】
また、請求項７に記載した発明にあっては、上記開口部は平面円形に形成されネジ部が設けられる一方、上記蓋部の係合部は上記ネジ部と螺合するネジ部を有すると共に上記突出部は円筒状に形成され、上記台部は短円筒状に形成されていることを特徴とする。
従って、上記蓋部の着脱が容易であると共に、上記蓋部により上記開口部を確実に閉止して、上記収納部の内部を密閉することができる。
【００１４】
また、請求項８に記載した発明にあっては、上記落下防止部材は、略円筒形状に形成され、上記蓋部内において上下方向に沿って摺動可能に配設されていることを特徴とする。
従って、燃料部材を点火する場合には、上記落下防止部材を上方に移動して上記台部を露出すると共に、燃料部材の点火後は、上記落下防止部材を下方に移動することによって、上記台部が被覆され、上記蓋部を閉止した場合に、上記燃料部材が収納部の内部に落下することを防止する。
【００１５】
また、請求項９に記載した発明にあっては、上記収納部には、内部に連通する孔部が設けられ、上記燃焼部は、上記孔部に一端部が着脱可能に接続された管部と、上記管部の他端部が接続され、内部に燃焼部材を収納しうる燃焼部材保存容器と、上記孔部を開閉可能に閉止しうるコック部材とから形成されていることを特徴とする。
【００１６】
従って、燃焼部材保存容器の容量を適宜選択することによって、保存容器の容量に合わせて、燃焼部材の量を自由に調整することが可能となる。
また、燃焼部材が別容器に配置されることから、燃焼によって収納部の温度が上昇し難い。
更に、酸素を除去した後は上記管部を収納部から取り外して保管することが可能となる。
【００１７】
また、請求項１０に記載した発明にあっては、上記燃焼部材は蝋燭であることを特徴とする。
従って、燃焼部材を低コストで提供できると共に、保存容器の大きさ、形状に合わせて、最適な形状に加工することが容易となる。
【発明の効果】
【００１８】
請求項１に記載の保存容器にあっては、収納部と、上記収納部の内部において燃焼することにより内部の酸素を除去するための燃焼部とを備えることから、収納物に異物が混入する虞が無く、低コストで、且つ容易に保存容器内の酸素を除去しうる保存容器を提供することが可能となる。
【００１９】
また、請求項２に記載の保存容器にあっては、上記収納部には開口部が設けられ、上記燃焼部は、上記開口部を閉止しうる蓋部と、上記蓋部に取り付けられると共に、上記開口部を閉止した場合に、上記収納部の内部に配置され、燃焼部材を載置しうる台部とから形成されていることから、請求項１の発明の効果に加え、収納物と燃焼部材が直接接触することが無いため、より収納物が汚染する虞が無い。
また、保存容器の構造が簡易であることから、より低コストで製造可能な保存容器を提供することが可能となる。
【００２０】
また、請求項３に記載の保存容器にあっては、上記開口部は、上記収納部の上面部に設けられ、上記台部は上記蓋部から垂下されて蓋部下方に配置されることから、上記蓋部によって上記開口部を閉止することによって、上記台部が上記収納部内において、収納物に接しない中空位置に配置されるため、より収納部に接触し難く、収納物を汚染する虞が無い。
また、請求項５に記載した発明にあっては、上記台部の幅寸法は上記開口部の径寸法よりも小さく形成されており、上記突出部の上端部内側面部に固定されたアーム部と、上記アーム部の下端に固定された台本体部とにより構成されていることから、アーム部を交換することによって、収納物の収納量に合わせて、台座位置を自由に調整することが可能となり、請求項３の効果に加え、設計の自由度がより大きくなる。
【００２１】
また、請求項４記載の保存容器にあっては、上記蓋部は上記開口部に係合する係合部と、上記係合部の上方に延設された内部が中空の突出部とを備え、上記台部は上記突出部の上端内側面部に固定されていることから、燃焼部材の燃焼によって発生する熱が上記突出部を介して速やかに外部に放出されるため、収納部の内部の温度上昇による、収納物の品質劣化を防止することが可能となる。
更に、請求項７の保存容器にあっては、上記開口部は平面円形に形成されネジ部が設けられる一方、上記蓋部の係合部は上記ネジ部と螺合するネジ部を有すると共に上記突出部は円筒状に形成され、上記台部は短円筒状に形成されていることから、請求項４の効果に加え、蓋部の着脱が容易で使い勝手が良く、且つネジ部によって開口部が閉止されることから、収納部の密閉性がより向上し、脱酸素状態を長期間保持しうる。
【００２２】
また、請求項６の保存容器にあっては、上記蓋部の内方には、上記台部の周囲を被覆して、上記燃焼部材の落下を防止する落下防止部材が配設されていることから、保存容器が振動した場合でも、上記台部から上記燃焼部材が収納部の内部に落下することがなく、収納物を汚染する虞を更に防止することが可能となる。
更に、請求項８の保存容器にあっては、上記落下防止部材は、略円筒形状に形成され、上記蓋部内において上下方向に沿って摺動可能に配設されていることから、請求項６の効果に加え、燃焼部材への点火作業がより行い易くなる。
【００２３】
また、請求項９に記載の保存容器にあっては、上記収納部には、内部に連通する孔部が設けられ、上記燃焼部は、上記孔部に一端部が着脱可能に接続された管部と、上記管部の他端部が接続され、内部に燃焼部材を収納しうる燃焼部材保存容器と、上記孔部を開閉可能に閉止しうるコック部材とから形成されていることから、請求項２の効果に加え、上記保存容器の容積が変化しても、上記燃焼部材保存容器と、収納する燃焼部材の大きさを適宜に変更することによって、効率良く酸素を除去することが可能となる。
また、酸素の除去が完了した後は上記管部を取り外して、収納部のみを保管することができるため、保管場所を確保し易い。
また、上記燃焼部材保存容器を独立して設けることによって、保存容器の形状をより容易に変更することが可能となる。
【００２４】
また、請求項１０に記載の保存容器あっては、上記燃焼部材が蝋燭であることから、燃焼時に発生する臭いや煤が少なく、収納物に臭いや煤が沈着する虞が無い。
また、燃焼部材が固形であることから、こぼれて上記収納物を汚染する虞が無く、保存容器の容量に応じて、上記燃焼部材の形状、大きさを容易に変更することが可能となる。
【発明を実施するための最良の形態】
【００２５】
以下、図面を用いて、燃焼部が収納部の蓋部に配置されている構成を例として本発明の実施の形態について説明する。
図１に示すように、本実施の形態にかかる保存容器１０は、収納部１２と、上記収納部１２の内部において燃焼することにより内部の酸素を除去するための燃焼部１３とを備え、上記収納部１２には開口部１４が設けられ、上記燃焼部１３は、上記開口部１４を閉止しうる蓋部１５と、上記蓋部１５に取り付けられると共に、上記開口部１４を閉止した場合に、上記収納部１２の内部に配置され、蝋燭である燃焼部材１６を載置しうる台部１７とから形成されている。
また、上記開口部１４は、上記収納部１２の上面部１９に設けられ、上記台部１７の幅寸法は上記開口部１４の径寸法よりも小さく形成されており、上記台部１７は蓋部１５から垂下されて上記蓋部１５の下方に配置されている。
また、上記蓋部１５は上記開口部１４に係合する係合部２０と、上記係合部２０の上方に延設された内部が中空の突出部１８とを備え、上記台部１７は、上記突出部１８の上端部内側面部２１に固定されたアーム部２２と、上記アーム部２２の下端に固定された台本体部２３とにより構成されている。
また、上記蓋部１５の内方には、上記台部１７の周囲を被覆して、上記燃焼部材の落下を防止する落下防止部材２４が配設されている。
また、上記開口部１５には平面円形に形成されネジ部２５が設けられる一方、上記蓋部１５の係合部２０は上記ネジ部２５と螺合するネジ部２６を有すると共に上記突出部１８は円筒状に形成され、上記台部１７は短円筒状に形成されている。
また、上記落下防止部材２４は、略円筒形状に形成され、上記蓋部１５内において上下方向に沿って摺動可能に配設されている。
【実施例１】
【００２６】
上記構成における実施例について以下詳述する。
図１は、上記実施例の構成に係る保存容器１０の側方断面図を示している。
上記保存容器１０は略直方体の箱状に形成され、上面部１９の所定位置にネジ部２５を有する平面円形の開口部１４が設けられている。
上記係合部２０と上記突出部１８とはフランジ部２７を介してネジ部材２８によって接合されている。
また、図２（１）及び（２）に示すように、上記アーム部２２は、上記蓋部１５の下方に垂下する一対の脚板部２９と、上記突出部１８の上端部内側面部２１にネジ部材３１によって固定された天板部３０とを有する略コ字形状に折り曲げられた金属製の板状部材から形成され、上記脚板部２９の下端には、上記台本体部２３が固定されている。
また、図２（１）及び（２）に示すように、上記落下防止部材２４は、金属製の網状部材からなり、上記突出部１８の内径と略同一寸法の径寸法を有する円筒形状に形成され、図２（１）に示すように、上記落下防止部材２４を上記蓋部１５内において図２中上方（矢印Ａの方向）に移動させ、上記落下防止部材２４の上端部が上記突出部１８の上端部内側面部２１に当接するように配置した場合には、上記台本体部２３と上記燃焼部材１６とが露出すると共に、図２（２）に示すように、上記落下防止部材２４を図２中矢印Ｂの方向に移動させた場合には、上記台本体部２３、上記脚板部２９、及び上記燃焼部材１６を被覆する。
また、図１に示すように、上記収納部１２に収納する保存食料である収納物１１は、例えば米等の穀物類、煮干等の乾燥食品であり、酸素の存在によって品質劣化し易いものであれば特に限定されない。
【００２７】
上記実施例の構成における作用について以下詳述する。
図１に示すように、保存対象の保存食品等の収納物１１を収納部１２に収納し、図２（１）に示すように、上記落下防止部材２４を上記蓋部１５内において図２（１）中の上方（矢印Ａの方向）に移動させ、上記落下防止部材２４の上端部を上記突出部１８の上端部内側面部２１に当接させて上記台本体部２３を露出し、蝋燭である燃焼部材１６を載置して点火する。
その後、図２（２）に示すように、上記落下防止部材２４を図２（２）中の下方（矢印Ｂの方向）に移動させ、上記台本体部２３と上記燃焼部材１６とを被覆し、上記台本体部２３を図２（２）中の矢印Ｃの方向に開口部１４から上記収納部１２の内部に挿入し、上記係合部２０のネジ部２６を上記開口部１４のネジ部２５とを螺合することによって上記開口部１４を閉止する。
図１に示すように、燃焼部材１６は、燃焼の過程において、収納部１２の内部の酸素消費し、収納部１２の内部の酸素濃度を低下させる。
更に、酸素濃度が所定濃度以下になった時点で燃焼が継続できなくなるため、上記燃焼部材１６は自動的に消火する。
また、燃焼時に上記燃焼部材１６から発生した熱は、上記突出部１８を介して、上記収納部１２の外部に速やかに放出されるため、収納部１２の内部に熱がこもり、収納物１１の温度が上昇するがことが無い。
従って、温度上昇により収納物１１の品質が劣化する虞がない。
また、酸素が除去されることによって、収納物１１の酸化が防止されると共に、燃焼部材１６が蝋燭であることから発生する臭いや煤も少なく、収納物１１に臭いや煤が沈着して汚染される虞がない。
また、搬送時に上記保存容器１０が振動した場合であっても、上記落下防止部材２４により、燃え残った上記燃焼部材１６が収納部１２の内部に落下することがない。
更に、従来の脱酸素剤を用いる保存容器と比べ、脱酸素剤の誤食や誤飲の虞が無く、廃棄物が発生することもない。
【実施例２】
【００２８】
また、本発明に係る保存容器は、図３に示すように、収納物４１を収納する収納部４２に、内部に連通する孔部４３が設けられ、上記燃焼部４８は、上記孔部４３に一端部４４ａが接続された管部４４と、上記管部４４の他端部４４ｂが接続され、内部に燃焼部材４７を収納しうる燃焼部材保存容器４６と、上記孔部４３を開閉可能に閉止しうるコック部材４５とから形成することも可能である。
上記構成においては、蝋燭である燃焼部材４７に点火して、上記燃焼部材保存容器４６に密閉収納し、上記孔部４３のコック部材４５を開放することによって、上記管部４４を経由し、上記収納部４２の内部の酸素が上記燃焼部材保存容器４６に流入し、上記燃焼部材４７の燃焼によって消費され、収納部４２の内部の酸素濃度を低下させる。
酸素の除去が完了した後は、上記コック部材４５によって上記孔部４３を閉止し、上記管部４４を取り外して、上記収納部４２のみで保管することが可能であるため、広い保管場所を必要とせず、保管し易い。
本実施例の形態によれば、上記収納部４２の形状、及び上記燃焼部材保存容器の形状を適宜変化させることによって、様々な形状、大きさの保存容器４００に対応することが可能となる。
【００２９】
なお、上記実施例１及び実施例２においては、図１及び図３に示す、保存容器１０及び保存容器４０の材質は特に限定されないが、密閉性が高く、且つ軽量である合成樹脂で形成することが望ましい。但し、合成樹脂と同等の密閉性及び重量が確保できる素材であれば、金属製、ガラス製であっても、本実施例の作用及び効果は同様である。
また、図３に示す上記管部４４の材質及び長さ寸法は特に限定されず、上記燃焼部材保存容器４６についても、特に形状、材質は限定されないが、密閉性を確保できる材質、及び形状であることが必要である。
【産業上の利用可能性】
【００３０】
本発明は食品等の保存容器であって、内部の酸素を除去することによって、酸化により品質が劣化する対象物を長期間保存しうる保存容器に適用することが可能であり、特に非常災害時に備えて米等の穀物類を備蓄するための防災用米びつ等に適している。
【図面の簡単な説明】
【００３１】
【図１】本発明に係る保存容器の一実施例の形態を示し、実施例の形態において、収納物を収納した状態で蓋部を閉止した状態の側方断面図である。
【図２】本発明に係る保存容器の一実施例の形態を示し、実施例の形態において、蓋部の落下防止部材を上下動させた場合の側面拡大図である。
【図３】本発明に係る保存容器の他の実施例の形態を示し、実施例の形態において、収納物を収納した状態で蓋部を閉止した状態の側方断面図である。
【図４】従来の保存容器の側方断面図である。
【符号の説明】
【００３２】
１０  保存容器
１１  収納物
１２  収納部
１３  燃焼部
１４  開口部
１５  蓋部
１６  燃焼部材
１７  台部
１８  突出部
１９  保存容器上面部
２０  係合部
２１  突出部の上端部内側面部
２２  アーム部
２３  台本体部
２４  落下防止部材
２５  開口部のネジ部
２６  係合部のネジ部
２７  フランジ部
２８  ネジ部材
２９  脚板部
３０  天板部
３１  ネジ部材  
４０  保存容器
４１  収納物
４２  収納部
４３  孔部
４４  管部
４４ａ管部の一端部
４４ｂ管部の他端部
４５  コック部材
４６  燃焼部材保存容器
４７  燃焼部材
４８  燃焼部
７０  保存容器
７１  脱酸素剤
７２  収納物
７３  収納部
７４  蓋部
７５  脱酸素剤を封入した小袋
Ａ  落下防止部材を上方に移動させる方向
Ｂ  落下防止部材を下方に移動させる方向
Ｃ  台部の挿入方向
【図１】
2010137885.tif 000003
【図２】
2010137885.tif 000004
【図３】
2010137885.tif 000005
【図４】
2010137885.tif 000006